(57)【要約】【課題】  処理装置との無線通信開始時にＭＡＣアドレスしか取得できない場合であっても、処理装置の識別名等をよりわかりやすく提示することが可能な画像表示装置等を提供すること。【解決手段】  無線通信によって処理装置のＭＡＣアドレスを示す識別情報を受信する無線通信部１１０と、処理装置ごとのＭＡＣアドレスおよび識別名を示す登録データ１２４を記憶する記憶部１２０と、識別情報に含まれるＭＡＣアドレスが、登録データ１２４に含まれるＭＡＣアドレスと一致するか判定する判定部１３０と、判定部１３０によって一致しないと判定された場合に、識別情報に含まれるＭＡＣアドレスと、登録データ１２４への登録順序に応じた識別名とを登録データ１２４に追加する更新部１５０と、登録データ１２４に含まれるＭＡＣアドレスおよび識別名を示す一覧表示画像を投写する投写部１９０を含んで構成される。【選択図】  図２
2012177832.tif 000002
【特許請求の範囲】
【請求項１】
無線通信可能な処理装置から無線通信によって当該処理装置のＭＡＣアドレスを示す識別情報を受信する無線通信部と、
処理装置ごとのＭＡＣアドレスおよび識別名を示す登録データを記憶する記憶部と、
前記識別情報に含まれるＭＡＣアドレスが、前記登録データに含まれるＭＡＣアドレスと一致するかどうかを判定する判定部と、
当該判定部によって、前記識別情報に含まれるＭＡＣアドレスが、前記登録データに含まれるＭＡＣアドレスと一致しないと判定された場合に、前記識別情報に含まれるＭＡＣアドレスと、前記登録データへの登録順序に応じた識別名または当該ＭＡＣアドレスに含まれるベンダーＩＤに応じた識別名とが関連付けられた状態で前記登録データに追加する更新部と、
前記登録データの確認指示を受け付ける受付部と、
前記確認指示に応じて、前記登録データに含まれる前記ＭＡＣアドレスおよび前記識別名を示す一覧表示画像を表示する表示部と、
を含む画像表示装置。
【請求項２】
請求項１に記載の画像表示装置において、
前記受付部は、前記処理装置との接続指示を受け付け、
前記無線通信部は、前記接続指示に応じた前記処理装置と接続を確立し、当該処理装置から画像信号を受信し、
前記表示部は、当該画像信号に基づく画像を表示する、
画像表示装置。
【請求項３】
請求項２に記載の画像表示装置において、
前記表示部は、前記一覧表示画像の一部として、最も最新の画像信号を送信した処理装置または画像信号を送信中の処理装置を示す画像を表示する、
画像表示装置。
【請求項４】
請求項１〜３のいずれかに記載の画像表示装置において、
前記受付部は、前記識別名の更新指示を受け付け、
前記更新部は、前記更新指示に応じて前記登録データに含まれる前記識別名を更新する、
画像表示装置。
【請求項５】
請求項４に記載の画像表示装置において、
前記表示部は、前記識別名の更新指示を受け付ける更新用画像を表示する、
画像表示装置。
【請求項６】
請求項５に記載の画像表示装置において、
前記表示部は、前記更新用画像の一部として、前記識別名として使用可能な複数の文字を選択可能に示す画像を表示する、
画像表示装置。
【請求項７】
請求項５または請求項６に記載の画像表示装置において、
前記表示部は、前記更新用画像の一部として、前記識別名として使用可能な複数のデフォルトの識別名を選択可能に示す画像を表示する、
画像表示装置。
【請求項８】
無線通信可能な処理装置から無線通信によって当該処理装置のＭＡＣアドレスを示す識別情報を受信する無線通信部と、処理装置ごとのＭＡＣアドレスおよび識別名を示す登録データを記憶する記憶部と、を有する画像表示装置が、
前記識別情報に含まれるＭＡＣアドレスが、前記登録データに含まれるＭＡＣアドレスと一致するかどうかを判定し、
前記識別情報に含まれるＭＡＣアドレスが、前記登録データに含まれるＭＡＣアドレスと一致しないと判定した場合に、前記識別情報に含まれるＭＡＣアドレスと、前記登録データへの登録順序に応じた識別名または当該ＭＡＣアドレスに含まれるベンダーＩＤに応じた識別名とを関連付けて前記登録データに追加し、
前記登録データの確認指示に応じて、前記登録データに含まれる前記ＭＡＣアドレスおよび前記識別名を示す一覧表示画像を表示する、
画像表示方法。
【発明の詳細な説明】
【技術分野】
【０００１】
本発明は、画像表示装置および画像表示方法に関する。
【背景技術】
【０００２】
例えば、特開２００６−２８５０７２号公報に記載されているように、ＵＳＢケーブルを介して画像供給装置からＭＡＣ（Media Access Control）アドレスが入力され、当該ＭＡＣアドレスが登録データに含まれている場合に当該画像供給装置からの画像情報に基づく画像を投写するプロジェクターが提案されている。また、近年、WirelessHD（登録商標）のように、無線通信で高速に画像信号を送受信する技術が提供されている。
【先行技術文献】
【特許文献】
【０００３】
【特許文献１】特開２００６−２８５０７２号公報
【発明の概要】
【発明が解決しようとする課題】
【０００４】
しかし、無線通信の場合、有線通信と比較して帯域が制限されているため、ブロードキャスト通信時等の仕様としてＭＡＣアドレスしか画像表示装置に提供されない場合がある。このような場合、画像表示装置は、通信先の選択等のために装置の一覧画像として、ＭＡＣアドレスしか表示することができない。このため、ユーザーは、どのＭＡＣアドレスがどの装置に対応しているか把握することが困難であり、通信先の選択等に時間がかかってしまう。
【０００５】
本発明にかかるいくつかの態様は、上記課題を解決することにより、処理装置との無線通信開始時にＭＡＣアドレスしか取得できない場合であっても、処理装置の識別名等をよりわかりやすく提示することが可能な画像表示装置および画像表示方法を提供するものである。
【課題を解決するための手段】
【０００６】
本発明の態様の１つである画像表示装置は、無線通信可能な処理装置から無線通信によって当該処理装置のＭＡＣアドレスを示す識別情報を受信する無線通信部と、処理装置ごとのＭＡＣアドレスおよび識別名を示す登録データを記憶する記憶部と、前記識別情報に含まれるＭＡＣアドレスが、前記登録データに含まれるＭＡＣアドレスと一致するかどうかを判定する判定部と、当該判定部によって、前記識別情報に含まれるＭＡＣアドレスが、前記登録データに含まれるＭＡＣアドレスと一致しないと判定された場合に、前記識別情報に含まれるＭＡＣアドレスと、前記登録データへの登録順序に応じた識別名または当該ＭＡＣアドレスに含まれるベンダーＩＤに応じた識別名とが関連付けられた状態で前記登録データに追加する更新部と、前記登録データの確認指示を受け付ける受付部と、前記確認指示に応じて、前記登録データに含まれる前記ＭＡＣアドレスおよび前記識別名を示す一覧表示画像を表示する表示部と、を含むことを特徴とする。
【０００７】
また、本発明の態様の１つである画像表示方法は、無線通信可能な処理装置から無線通信によって当該処理装置のＭＡＣアドレスを示す識別情報を受信する無線通信部と、処理装置ごとのＭＡＣアドレスおよび識別名を示す登録データを記憶する記憶部と、を有する画像表示装置が、前記識別情報に含まれるＭＡＣアドレスが、前記登録データに含まれるＭＡＣアドレスと一致するかどうかを判定し、前記識別情報に含まれるＭＡＣアドレスが、前記登録データに含まれるＭＡＣアドレスと一致しないと判定した場合に、前記識別情報に含まれるＭＡＣアドレスと、前記登録データへの登録順序に応じた識別名または当該ＭＡＣアドレスに含まれるベンダーＩＤに応じた識別名とを関連付けて前記登録データに追加し、前記登録データの確認指示に応じて、前記登録データに含まれる前記ＭＡＣアドレスおよび前記識別名を示す一覧表示画像を表示することを特徴とする。
【０００８】
本発明によれば、画像表示装置は、処理装置との無線通信開始時にＭＡＣアドレスしか取得できない場合であっても、ＭＡＣアドレスに対応した識別名を表示することができるため、処理装置の識別名等をよりわかりやすく提示することができる。
【０００９】
また、前記受付部は、前記処理装置との接続指示を受け付け、前記無線通信部は、前記接続指示に応じた前記処理装置と接続を確立し、当該処理装置から画像信号を受信し、前記表示部は、当該画像信号に基づく画像を表示してもよい。これによれば、画像表示装置は、接続指示に応じて処理装置からの画像信号に基づく画像を表示することができる。
【００１０】
また、前記表示部は、前記一覧表示画像の一部として、最も最新の画像信号を送信した処理装置または画像信号を送信中の処理装置を示す画像を表示してもよい。これによれば、画像表示装置は、画像信号を使用中の処理装置をわかりやすく提示することができる。
【００１１】
前記受付部は、前記識別名の更新指示を受け付け、前記更新部は、前記更新指示に応じて前記登録データに含まれる前記識別名を更新してもよい。これによれば、画像表示装置は、更新指示に応じて識別名を更新することにより、ユーザーにとってわかりやすい識別名を提示することができる。
【００１２】
また、前記表示部は、前記識別名の更新指示を受け付ける更新用画像を表示してもよい。これによれば、画像表示装置は、識別名の更新状態をユーザーに提示しながら更新指示を受け付けることができる。
【００１３】
また、前記表示部は、前記更新用画像の一部として、前記識別名として使用可能な複数の文字を選択可能に示す画像を表示してもよい。これによれば、画像表示装置は、ユーザーに多彩な文字を選択させて識別名を更新することができる。
【００１４】
また、前記表示部は、前記更新用画像の一部として、前記識別名として使用可能な複数のデフォルトの識別名を選択可能に示す画像を表示してもよい。これによれば、画像表示装置は、デフォルトの識別名を選択可能に示す画像を表示することにより、ユーザーは、より簡易に識別名を更新することができる。
【図面の簡単な説明】
【００１５】
【図１】第１の実施例における通信状況を示す図である。
【図２】第１の実施例におけるプロジェクターの機能ブロック図である。
【図３】第１の実施例におけるプロジェクターのハードウェアブロック図である。
【図４】第１の実施例における識別情報の受信から一覧表示画像の投写および登録データの更新までの処理手順を示すフローチャートである。
【図５】第１の実施例におけるメニュー画像の一例を示す図である。
【図６】第１の実施例における一覧表示画像の一例を示す図である。
【図７】第１の実施例における更新用画像の一例を示す図である。
【図８】第１の実施例における更新用画像の他の一例を示す図である。
【図９】第２の実施例における更新用画像の一例を示す図である。
【図１０】第２の実施例における一覧表示画像の一例を示す図である。
【図１１】第３の実施例におけるプロジェクターの機能ブロック図である。
【図１２】第３の実施例における一覧表示画像の一例を示す図である。
【発明を実施するための形態】
【００１６】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における通信状況を示す図である。ＤＶＤプレーヤー２１０は、画像信号ケーブルを介してＡＶアンプ２２０に接続され、ＡＶアンプ２２０は、画像信号ケーブルを介して無線送信機３００に接続されている。ＨＤＤレコーダー２３０は、画像信号ケーブルを介して無線送信機３０１に接続されている。画像表示装置の一種であるプロジェクター１００は、無線送信機３００、３０１と無線通信を行い、いずれか一方からの画像信号に基づき、スクリーン１０に画像２０を投写する。なお、本実施例では、通信の規格等により、プロジェクター１００は、無線通信の開始時に無線送信機（処理装置）３００、３０１のＭＡＣアドレスしか取得できないものとする。
【００１８】
プロジェクター１００は、ＭＡＣアドレスと、ＭＡＣアドレスと自動的に対応付けた識別名を示す一覧表示画像等を投写することにより、ユーザーに投写対象となる画像信号の送信元の無線送信機３００、３０１を選択させる機能を有している。次に、このような機能を有するプロジェクター１００の機能ブロックについて説明する。
【００１９】
図２は、第１の実施例におけるプロジェクター１００の機能ブロック図である。プロジェクター１００は、無線送信機３００、３０１と無線通信を行う無線通信部１１０と、記憶部１２０と、図示しないリモコン（リモートコントローラー）からユーザーの要求を受け付ける受付部１３０と、要求内容の判定等を行う判定部１４０と、記憶部１２０内のデータを更新する更新部１５０と、画像２０を生成して投写する表示部の一種である投写部１９０を含んで構成されている。記憶部１２０は、受信画像信号等を示す画像データ１２２、ＭＡＣアドレスと識別名の対応等を示す登録データ１２４等を記憶している。
【００２０】
また、プロジェクター１００は、以下のハードウェアを用いてこれらの各部として機能してもよい。図３は、第１の実施例におけるプロジェクター１００のハードウェアブロック図である。例えば、無線通信部１１０は無線通信ユニット９１０等、記憶部１２０はＲＡＭ９２０、フラッシュＲＯＭ９２２等、受付部１３０はリモコンからの赤外光を受光する受光ユニット９３０等、判定部１４０、更新部１５０はＣＰＵ９４０等、投写部１９０は画像処理回路９８０、ランプ９９１、ランプ９９１を駆動するランプ駆動回路９９０、照明光学系９９２、液晶ライトバルブ９９４、液晶ライトバルブ９９４を駆動する液晶駆動回路９９３、投写レンズ９９５等であってもよい。
【００２１】
次に、これらの各部を用いた識別情報の受信から一覧表示画像の投写および登録データの更新までの処理手順について説明する。図４は、第１の実施例における識別情報の受信から一覧表示画像の投写および登録データの更新までの処理手順を示すフローチャートである。
【００２２】
プロジェクター１００の無線通信部１１０は、起動時等に無線送信機３００、３０１からＭＡＣアドレスを含む識別情報を受信する（ステップＳ１）。なお、ここでは、無線送信機３００が登録データ１２４に登録されており、無線送信機３０１が新たに無線通信可能な範囲に設置されたものとする。
【００２３】
判定部１４０は、無線通信部１１０によって受信された識別情報に含まれるＭＡＣアドレスのうち、登録データ１２４に未登録のものがあるかどうかを判定する（ステップＳ２）。判定部１４０は、未登録のものがあると判定すると、登録データ１２４を参照して識別名を決定し、当該識別名とＭＡＣアドレスを更新部１５０に伝達する。更新部１５０は、当該識別名とＭＡＣアドレスが追加または更新されるように登録データ１２４を更新する（ステップＳ３）。
【００２４】
なお、登録データ１２４には、６台までの接続機器（無線送信機３００、３０１等）を登録可能であり、判定部１４０は、登録順序に応じた識別名を決定する。また、登録台数が７台以上になる場合、更新部１５０は、登録データ１２４から１番目のデータを削除し、７台目の接続機器を１番目として登録データ１２４に登録してもよいし、最も使用されていない接続機器を示すデータを登録データ１２４から削除し、当該データの識別名に新たなＭＡＣアドレスを対応付けて登録データ１２４に登録してもよい。
【００２５】
ユーザーは、リモコンを操作してメニュー画像の表示要求を行う。判定部１４０は、受付部１３０からの情報に基づき、メニュー画像の表示要求があったかどうかを判定する（ステップＳ４）。メニュー画像の表示要求があった場合、投写部１９０は、画像データ１２２に基づき、メニュー画像を投写する（ステップＳ５）。
【００２６】
図５は、第１の実施例におけるメニュー画像４１０の一例を示す図である。メニュー画像４１０では、接続機器一覧の表示要求を行うための「接続機器一覧」、無線通信機能の有効無効を設定するための「WirelessHD」、無線通信の信号強度を示す「受信感度」、登録データ１２４における接続機器の名称を変更するための「接続機器名称変更」、登録データ１２４における接続機器を削除するための「接続機器削除」、接続機器と接続するための接続指示を示す「ペアリング」、登録データ１２４を初期化するための「初期化」の項目が選択可能に表示される。
【００２７】
ユーザーは、リモコンを操作して「接続機器一覧」を選択して決定することにより、一覧表示画像の表示要求を行う。判定部１４０は、受付部１３０からの情報に基づき、一覧表示画像の表示要求があったかどうかを判定する（ステップＳ６）。一覧表示画像の表示要求があった場合、投写部１９０は、画像データ１２２と、登録データ１２４に基づき、一覧表示画像を投写する（ステップＳ７）。
【００２８】
図６は、第１の実施例における一覧表示画像４００の一例を示す図である。一覧表示画像４００では、識別名である「機器名」、「ＭＡＣアドレス」等が表示される。なお、一覧表示画像４００において、●は現在の画像信号の送信元であることを示し、○は現在の画像信号の送信元でないことを示す。すなわち、ここでは、無線送信機３００のＭＡＣアドレスに対して「Device1」が識別名として使用され、新たに追加された無線送信機３０１のＭＡＣアドレスに対して「Device2」が識別名として使用されている。
【００２９】
なお、登録データ１２４に接続機器が全く登録されていない場合、投写部１９０は、「接続機器が見つかりません。」といった文字列を示す画像を投写してもよい。
【００３０】
また、ユーザーは、メニュー画像４１０が投写された状態で、リモコンを操作して「接続機器名称変更」を選択して決定することにより、名称変更要求を行うことができる。判定部１４０は、受付部１３０からの情報に基づき、名称変更要求があったかどうかを判定する（ステップＳ８）。名称変更要求があった場合、投写部１９０は、画像データ１２２と、登録データ１２４に基づき、更新用画像を投写する（ステップＳ９）。
【００３１】
図７は、第１の実施例における更新用画像５００の一例を示す図である。また、図８は、第１の実施例における更新用画像５０２の他の一例を示す図である。例えば、「Device1」の名称変更を行う場合、ユーザーは、更新用画像５００が投写された状態で「Device1」を選択して変更対象として決定する。投写部１９０は、当該決定に応じていわゆるソフトウェアキーボードを示す更新用画像５０２を投写する。
【００３２】
判定部１４０は、受付部１３０からの情報に基づき、更新対象の更新要求（更新指示）があったかどうかを判定し、更新部１５０は、判定部１４０からの更新要求に応じて更新対象の名称が変更されるように登録データ１２４を更新する（ステップＳ１０）。
【００３３】
以上の手順により、ユーザーにとってわかりやすい識別名が登録データ１２４に登録される。ユーザーは、一覧表示画像４００が投写された状態で接続したい機器を選択して決定することにより、所望の無線送信機３００、３０１を選択してプロジェクター１００との接続を確立させ、画像信号を送信させ、プロジェクター１００に当該画像信号に基づく画像２０を投写させることができる。例えば、図６において、ユーザーが「Device2」を選択して決定すると、Device2の○が●に変化するとともに、Device１の●が○に変化し、Device2が示す無線送信機３０１とプロジェクター１００との接続が確立し、プロジェクター１００は無線送信機３０１からの画像信号に基づいて画像を投写する。
【００３４】
以上のように、本実施例によれば、プロジェクター１００は、無線送信機３００、３０１との無線通信開始時にＭＡＣアドレスしか取得できない場合であっても、ＭＡＣアドレスに対応した識別名を表示することができるため、処理装置の識別名等をよりわかりやすく提示することができる。また、本実施例によれば、プロジェクター１００は、接続指示に応じて無線送信機３００または無線送信機３０１からの画像信号に基づく画像を表示することができる。また、本実施例によれば、プロジェクター１００は、一覧表示画像４００を投写することにより、画像信号を使用中の無線送信機３００、３０１をわかりやすく提示することができる。
【００３５】
また、本実施例によれば、プロジェクター１００は、更新指示を受け付ける更新用画像５０２を投写し、更新指示に応じて登録データ１２４を更新することにより、識別名の更新状態をユーザーに提示しながら更新指示を受け付けることができ、識別名の更新によってユーザーにとってわかりやすい識別名を提示することができる。これにより、ユーザーは、複数の無線送信機３００、３０１を同時に使用する場合であっても、一覧表示されている機器がどの無線送信機３００、３０１を示すものであるかを容易に把握することができる。
【００３６】
また、本実施例によれば、プロジェクター１００は、識別名として使用可能な複数の文字を選択可能に示す更新用画像５０２を投写することにより、ユーザーに多彩な文字を選択させて識別名を更新することができる。
【００３７】
（第２の実施例）
投写部１９０は、更新用画像として、識別名として使用可能な複数のデフォルトの識別名を選択可能に示す画像を投写してもよい。図９は、第２の実施例における更新用画像５０４の一例を示す図である。更新用画像５０４は、「DVD Player」、「Blu-ray D Player」、「HDD Recorder」等の複数のデフォルトの識別名を選択可能に示す。なお、使用可能な識別名は最大１６文字であるものとする。
【００３８】
また、ユーザーは、デフォルトの識別名を選択した状態で更新操作を行うことにより、当該識別名を更新することができ、空欄の識別名を選択した状態で更新操作を行うことにより、新たな識別名を更新用画像５０４に追加することができる。
【００３９】
図１０は、第２の実施例における一覧表示画像４０２の一例を示す図である。例えば、ユーザーは、上述した「Device1」に代えて「DVD Player」を適用し、「Device2」に代えて「HDD Recorder」を適用することにより、無線送信機３００がＤＶＤプレーヤー２１０に接続されており、無線送信機３０１がＨＤＤレコーダー２３０に接続されていることを一覧表示画像４０２によって把握することができる。
【００４０】
以上のように、本実施例によれば、ユーザーは、より簡易に識別名を更新することができる。また、本実施例によれば、プロジェクター１００は、あらかじめ文字数制限に対応した識別名を定義しておくことにより、ユーザーが文字数制限を超える識別名を使用することを防止することができる。
【００４１】
（第３の実施例）
上述した実施例では、プロジェクター１００は、ＭＡＣアドレスと、登録データ１２４への登録順序に応じた識別名を関連付けて登録したが、ＭＡＣアドレスと、ＭＡＣアドレスに含まれるベンダーＩＤ（ベンダーコードともいう）に応じた識別名とを関連付けて登録データ１２４に追加してもよい。
【００４２】
図１１は、第３の実施例におけるプロジェクター１０１の機能ブロック図である。プロジェクター１０１は、プロジェクター１００と同様の構成であるが、記憶部１２１がベンダーデータ１２６を記憶し、投写部１９１がベンダーデータ１２６に基づく画像を投写する点で、プロジェクター１００と相違している。なお、ベンダーデータ１２６は、ＭＡＣアドレスに含まれるベンダーＩＤと、当該ベンダーＩＤと関連付けられたベンダー名を示すデータであり、使用される可能性があるすべてのベンダー名を示すデータである。
【００４３】
判定部１４０は、ベンダーデータ１２６を参照し、新たなＭＡＣアドレスに対応したベンダー名を決定し、更新部１５０は、登録データ１２４への新たなＭＡＣアドレスの登録時に、当該ＭＡＣアドレスと、判定部１４０によって決定されたベンダー名を関連付けて登録データ１２４に登録する。
【００４４】
図１２は、第３の実施例における一覧表示画像４０４の一例を示す図である。投写部１９１は、登録データ１２４に基づき、ＭＡＣアドレスに対応付けられたベンダー名を機器名として示す一覧表示画像４０４を投写する。例えば、図１２において、更新部１５０は、ＭＡＣアドレス「00.1C.XX.XX.XX.XX」の機器名として、ベンダー名「CXXXX」を機器名に割当て、ＭＡＣアドレス「00.2C.XX.XX.XX.XX」の機器名として、ベンダー名「NXXXXX」を機器名に割当てることができる。
【００４５】
以上のように、本実施例によれば、プロジェクター１０１は、ベンダー名を機器名として示す一覧表示画像４０４を投写することができるため、無線送信機３００と無線送信機３０１のベンダー名が異なっている場合に、ユーザーは、画像信号の送信元として適用する無線送信機３００、３０１を選択しやすくなる。
【００４６】
（その他の実施例）
なお、本発明の適用は上述した実施例に限定されず、変形が可能である。例えば、上述した実施例の構成を組み合わせてもよい。また、上述した実施例では、無線送信機３００、３０１が画像供給装置（ＤＶＤプレーヤー２１０、ＡＶアンプ２２０、ＨＤＤレコーダー２３０）と独立した機器になっているが、ＤＶＤプレーヤー２１０等の処理装置は、無線送信機３００、３０１の機能を内蔵してもよい。
【００４７】
また、上述した実施例では、更新部１５０は、ユーザーの要求に応じて登録データ１２４に登録済みの機器を示すデータを削除するが、例えば、無線通信部１１０、判定部１４０によって認識できなくなった機器がある場合に、更新部１５０が、自動的に当該機器を示すデータを削除してもよい。
【００４８】
また、登録データ１２４に登録可能な台数は６台に限定されず、５台以下であってもよいし、７台以上であってもよい。また、識別名として使用可能な文字数は１６文字に限定されず、１５文字以下であってもよいし、１７文字以上であってもよい。
【００４９】
また、プロジェクター１００、１０１への画像信号の送信元となる処理装置は、ＤＶＤプレーヤー２１０、ＡＶアンプ２２０、ＨＤＤレコーダー２３０、無線送信機３００、３０１に限定されず、例えば、携帯情報端末、携帯電話、ゲーム装置等であってもよい。また、画像表示装置は、プロジェクター１００、１０１に限定されず、例えば、テレビ、液晶モニター、携帯情報端末、携帯電話、携帯型ゲーム装置等であってもよい。
【００５０】
また、プロジェクター１００、１０１の有するコンピューターは、情報記憶媒体に記憶されたプログラムを読み取って判定部１４０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００５１】
また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０、１９１は、ランプの代わりに有機ＥＬ素子、シリコン発光素子、レーザーダイオード、ＬＥＤ等の固体光源を含む自己発光素子を採用してもよい。また、プロジェクター１００、１０１の機能を複数の装置（例えば、ＰＣとプロジェクター等）に分散してもよい。
【符号の説明】
【００５２】
１０  スクリーン、２０  画像、１００、１０１  プロジェクター（画像表示装置）、１１０  無線通信部、１２０、１２１  記憶部、１２２  画像データ、１２４  登録データ、１２６  ベンダーデータ、１３０  受付部、１４０  判定部、１５０  更新部、１９０、１９１  投写部（表示部）、２１０  ＤＶＤプレーヤー、２２０  ＡＶアンプ、２３０  ＨＤＤレコーダー、３００、３０１  無線送信機（処理装置）、４００〜４０４  一覧表示画像、４１０  メニュー画像、５００〜５０４  更新用画像、９１０  無線通信ユニット、９２０  ＲＡＭ、９２２  フラッシュＲＯＭ、９３０  受光ユニット、９４０  ＣＰＵ、９８０  画像処理回路、９９０  ランプ駆動回路、９９１  ランプ、９９２  照明光学系、９９３  液晶駆動回路、９９４  液晶ライトバルブ、９９５  投写レンズ
【図１】
2012177832.tif 000003
【図２】
2012177832.tif 000004
【図３】
2012177832.tif 000005
【図４】
2012177832.tif 000006
【図８】
2012177832.tif 000007
【図９】
2012177832.tif 000008
【図１１】
2012177832.tif 000009
【図５】
2012177832.tif 000010
【図６】
2012177832.tif 000011
【図７】
2012177832.tif 000012
【図１０】
2012177832.tif 000013
【図１２】
2012177832.tif 000014